(57)【要約】【課題】少ない構成部材数で以て複数の形態で芳香きるとともに、使用者の健康への悪影響を回避できるスリーウェイ芳香装置を提供すること【解決手段】芳香成分を含んだ揮発性液体を収容可能な容器１０と、容器１０の挿入口１１に着脱可能な触媒バーナ手段２０と、容器１０の挿入口１１に着脱可能な手動式のスプレー手段３０と、容器１０の挿入口に内挿可能な蒸散手段５０とにより構成する。【選択図】図１
0003178496.tif 000002
【実用新案登録請求の範囲】
【請求項１】
芳香成分を含んだ揮発性液体を触媒燃焼形態、ミスト形態、または気化形態で放出するスリーウェイ芳香装置であって、
芳香成分を含んだ揮発性液体を収容可能な容器と、
前記容器の挿入口に着脱可能な触媒バーナ手段と、
前記容器の挿入口に着脱可能な手動式のスプレー手段と、
前記容器の挿入口に内挿可能な蒸散手段とを具備することを特徴とする、
スリーウェイ芳香装置。
【請求項２】
前記触媒バーナ手段の首部およびスプレー手段の胴部が容器の挿入口に内挿可能な寸法関係にあることを特徴とする、請求項１に記載のスリーウェイ芳香装置。
【請求項３】
前記揮発性液体がエタノールを含むことを特徴とする、請求項１または２に記載のスリーウェイ芳香装置。
【考案の詳細な説明】
【技術分野】
【０００１】
本考案は芳香成分を含む揮発性液体を発散できるスリーウェイ芳香装置に関する。
【背景技術】
【０００２】
この種の芳香装置としては次のいくつかのタイプが知られている。
（１）芳香成分を含む揮発性液体を収容した容器と、容器内に一部を漬浸させた不織布等からなる芯材とを具備し、芯材を通じて揮発性液体とともに吸い上げられた芳香成分を芯材の上端から自然揮発させるタイプ（特許文献１）。
（２）芯材の上部に触媒燃焼バーナを設け、触媒燃焼バーナで気化させた揮発性液体を触媒燃焼させるタイプ（特許文献２）。
（３）容器の口部に押動ポンプ式スプレーを設け、容器内の芳香成分を含む揮発性液体をポンプアップして噴霧するタイプ。
【先行技術文献】
【特許文献】
【０００３】
【特許文献１】特開平８−１６４１９４号公報
【特許文献２】特開２００５−１６９２５号公報
【考案の概要】
【考案が解決しようとする課題】
【０００４】
＜１＞既述した従来の複数タイプの芳香装置は、放出構造と芳香範囲が異なることから、一つの芳香装置で複数タイプを兼用させることが技術的に困難である。
そのため、使用者は使途に応じて複数の芳香装置を使い分けしなければならず不経済である。
＜２＞従来の揮発性液体は、常温常圧で空気中に容易に揮発するイソプロピルアルコール（ＩＰＬ）を含んでいて、揮発したイソプロピルアルコールを使用者が長い時間吸引すると頭痛やめまい等の健康被害を引き起こす恐れがあるだけでなく、犬猫等のペットに対しても悪影響を及ぼす恐れがある。
【０００５】
本考案は以上の問題点に鑑みてなされたもので、その目的とするところは少ない構成部材数で以て複数の形態で芳香きるとともに、使用者の健康への悪影響を回避できるスリーウェイ芳香装置を提供することにある。
【課題を解決するための手段】
【０００６】
上記した課題を解決するため、本考案は芳香成分を含んだ揮発性液体を触媒燃焼形態、ミスト形態、または気化形態で放出するスリーウェイ芳香装置であって、芳香成分を含んだ揮発性液体を収容可能な容器と、前記容器の挿入口に着脱可能な触媒バーナ手段と、前記容器の挿入口に着脱可能な手動式のスプレー手段と、前記容器の挿入口に内挿可能な蒸散手段とを具備する。
触媒バーナ手段の首部およびスプレー手段の胴部は、容器の挿入口に内挿可能な寸法関係にしてある。
また揮発性液体は従来のイソプロピルアルコールに替えてエタノールを使用する。
【考案の効果】
【０００７】
＜１＞触媒バーナ手段、スプレー手段、または蒸散手段がひとつの容器を共有して構成部材数を削減できるとともに、一台の芳香装置で以てこれら三つの手段を使途に応じて付け替えることで、芳香成分を含んだ揮発性液体を触媒燃焼形態、ミスト形態、または気化形態での放出が可能となる。
＜２＞触媒バーナ手段の首部およびスプレー手段の胴部が、容器の挿入口に内挿可能な寸法関係にあるから、容器に対する付替えを簡易に行うことができる。
＜３＞揮発性液体は従来のイソプロピルアルコールに替えてエタノールを使用することで、長時間に亘って芳香しても、人体やペットに対する健康被害を回避できて、使用中における安全性が高くなる。
【図面の簡単な説明】
【０００８】
【図１】本考案に係るスリーウェイ芳香装置の全体斜視図
【図２】容器に触媒バーナ手段を組付けたときの芳香装置の部分断面図
【図３】容器にスプレー手段を組付けたときの芳香装置の部分断面図
【図４】容器に蒸散手段を組付けたときの芳香装置の部分断面図
【考案を実施するための形態】
【０００９】
以下に図面を参照しながら本考案に係るスリーウェイ芳香装置の一例を示す。
【００１０】
＜１＞スリーウェイ芳香装置の概要
図１に示すように、スリーウェイ芳香装置は、芳香成分を含んだ揮発性液体を収容可能な容器１０と、容器１０の上部に形成した挿入口１１に着脱可能な触媒バーナ手段２０と、容器１０の挿入口１１に着脱可能な手動式のスプレー手段３０と、容器１０の挿入口１１に内挿可能な複数のボーラス構造のステック５１よりなる蒸散手段５０とを具備し、ひとつの容器１０に対してこれらの三つの芳香するための手段２０，３０，５０を付け替えて三つの形態（触媒燃焼形態、ミスト形態、気化形態）で使用し得るようになっている。
【００１１】
＜２＞揮発性液体
触媒燃焼および気化に適した揮発性液体は公知の芳香成分を含んでいて、キャップ付きのボトル４０に予め収容してある。芳香成分にはアロマ効果が得られる公知の各種自然香料または合成香料を含む。
従来は揮発性液体にイソプロピルアルコールを使用していたが、本例では人体に対し安全性の高いエタノールを使用する。
【００１２】
＜３＞容器
容器１０は揮発性液体を収容するための器で、耐熱性に優れたガラスや樹脂等で形成してある。また本例では容器１０が球形を呈する場合について示すが、例示した形状に限定されるものではなく、容器１０の形状や寸法の制約は特にない。
容器１０の上部には口金１２が一体に固着してあり、口金１２に挿入孔１１が形成されている。
【００１３】
＜４＞触媒バーナ手段
触媒バーナ手段２０は揮発性液体を触媒燃焼させて広範囲に芳香させるためのもので、少なくとも多孔性セラミック製のバーナ２１と、支持台２２を介してバーナ２１に一体に接続した吸液性素材（例えば綿紐）からなる芯材２３とにより構成する。本例ではさらにバーナ２１に装着可能な消火キャップ２４と、容器１０の挿入口１１に外装可能な筒状の防護筒２５をさらに含む。
【００１４】
触媒バーナ手段２０を容器１０の挿入口１１に密着して内挿し得るように、支持台２２の首部２２ａの外径が、挿入口１１の内径と等寸法になっている（図２）。
【００１５】
＜５＞スプレー手段
スプレー手段３０はノズルを具備した噴霧器３１と、噴霧器３１へ給液する吸上管３２と、中継ホースを介して噴霧器３１へ空気を圧送する手動式のポンプ３３とにより構成し、ポンプ３３を手動で圧搾操作することで、吸上管３２を通じて吸い上げた揮発性液体６０を噴霧器３１のノズルを通じミスト化して噴霧し得るようになっている。
噴霧器３１の胴部３１ａには液漏れ防止用のシール材を設けてあり、シール材を介して容器１０の挿入口１１に密着した状態で内挿可能になっている（図３）。
【００１６】
ポンプ３３は図示したゴム製の球体に限定されず、その他にレバ―やボタン等を介して押動する公知の手押しポンプを適用することも可能である。
【００１７】
＜６＞蒸散手段
蒸散手段５０はボーラス構造を呈する単数または複数のステック５１により構成し、容器１０の挿入口１１に差し込んで使用する。
ステック５１は軸方向に沿って連続した微孔を形成していて、微孔による毛細管現象を利用して揮発性液体６０を吸い上げ、ステック５１の最上部から周囲へ自然に揮発させることが可能である。
【００１８】
ステック５１の素材としては、ボーラス構造を呈するセラミック棒、草花の乾燥した茎、乾燥した樹木の枝木等を使用できるが、経済性と吸上性を考慮すると竹材が好適である。
【００１９】
［使用方法］
本考案に係るスリーウェイ芳香装置は、広範囲で長時間に亘って芳香成分を放出可能な触媒バーナ手段２０と、スポット的範囲に芳香成分を放出可能な手動式のスプレー手段３０と、１〜２ｍの範囲で長時間に亘って芳香成分を放出可能な蒸散手段５０とが、それぞれ容器１０を共有し得る関係にあるため、以下に説明するようにひとつの容器１０に対してこれらの三つの芳香するための手段２０，３０，５０を付け替えて使用することができる。
【００２０】
＜１＞触媒燃焼による芳香形態
図２に示すように、触媒バーナ手段２０による芳香を楽しみたいときは、容器１０内に芯材２３を落とし込み、首部２２ａを挿入口１１に挿入すると、芯材２３通じて揮発性液体６０が吸い上げられてバーナ２２で気化する。使用者がバーナ２２に着火すると揮発性液体が触媒燃焼して芳香が広範囲に拡散する。
【００２１】
＜２＞ミストによる芳香形態
図３に示すように、スプレー手段３０による芳香を楽しみたいときは、容器１０内に吸上管３２を収容するとともに、噴霧器３１の胴部３１ａを挿入口１１に内挿する。
噴霧器３１のノズルを噴霧方向へ向けた状態で、ポンプ３３を圧搾操作すると、吸上管３２を通じて芳香成分を含む揮発性液体６０が噴霧器３１へ吸い上げられ、噴霧器３１のノズルからミスト状態で噴霧される。
【００２２】
＜３＞揮発による自然芳香形態
図４に示すように、蒸散手段５０による芳香を楽しみたいときは、容器１０の挿入口１１内に単数または複数のステック５１を差し込んで使用する。
容器１０内の揮発性液体はステック５１の微孔を通じて吸い上げられ、ステック５１の最上部から気化した揮発性液体ととに芳香成分が周囲に拡散する。
【符号の説明】
【００２３】
１０・・・・・容器
１１・・・・・挿入口
２０・・・・・触媒バーナ手段
２１・・・・・バーナ
２２・・・・・支持台
２２ａ・・・・支持台の首部
２３・・・・・芯材
３０・・・・・スプレー手段
３１・・・・・噴霧器
３１ａ・・・・噴霧器の胴部
３２・・・・・吸上管
４０・・・・・ボトル
５０・・・・・蒸散手段
５１・・・・・ステック
【図１】
0003178496.tif 000003
【図２】
0003178496.tif 000004
【図３】
0003178496.tif 000005
【図４】
0003178496.tif 000006
【手続補正書】
【提出日】平成24年7月11日(2012.7.11)
【手続補正１】
【補正対象書類名】実用新案登録請求の範囲
【補正対象項目名】全文
【補正方法】変更
【補正の内容】
【実用新案登録請求の範囲】
【請求項１】
芳香成分を含んだ揮発性液体を触媒燃焼形態、ミスト形態、または気化形態で放出するスリーウェイ芳香セットであって、
芳香成分を含んだ揮発性液体を収容可能な容器と、
前記容器の挿入口に着脱可能な触媒バーナ手段と、
前記容器の挿入口に着脱可能な手動式のスプレー手段と、
前記容器の挿入口に内挿可能な蒸散手段とを具備することを特徴とする、
スリーウェイ芳香セット。
【請求項２】
前記触媒バーナ手段の首部およびスプレー手段の胴部が容器の挿入口に内挿可能な寸法関係にあることを特徴とする、請求項１に記載のスリーウェイ芳香セット。
【請求項３】
前記揮発性液体がエタノールを含むことを特徴とする、請求項１または２に記載のスリーウェイ芳香セット。
【手続補正２】
【補正対象書類名】明細書
【補正対象項目名】全文
【補正方法】変更
【補正の内容】
【考案の詳細な説明】
【技術分野】
【０００１】
本考案は芳香成分を含む揮発性液体を発散できるスリーウェイ芳香セットに関する。
【背景技術】
【０００２】
この種の芳香装置としては次のいくつかのタイプが知られている。
（１）芳香成分を含む揮発性液体を収容した容器と、容器内に一部を漬浸させた不織布等からなる芯材とを具備し、芯材を通じて揮発性液体とともに吸い上げられた芳香成分を芯材の上端から自然揮発させるタイプ（特許文献１）。
（２）芯材の上部に触媒燃焼バーナを設け、触媒燃焼バーナで気化させた揮発性液体を触媒燃焼させるタイプ（特許文献２）。
（３）容器の口部に押動ポンプ式スプレーを設け、容器内の芳香成分を含む揮発性液体をポンプアップして噴霧するタイプ。
【先行技術文献】
【特許文献】
【０００３】
【特許文献１】特開平８−１６４１９４号公報
【特許文献２】特開２００５−１６９２５号公報
【考案の概要】
【考案が解決しようとする課題】
【０００４】
＜１＞既述した従来の複数タイプの芳香装置は、放出構造と芳香範囲が異なることから、一つの芳香装置で複数タイプを兼用させることが技術的に困難である。
そのため、使用者は使途に応じて複数の芳香装置を使い分けしなければならず不経済である。
＜２＞従来の揮発性液体は、常温常圧で空気中に容易に揮発するイソプロピルアルコール（ＩＰＬ）を含んでいて、揮発したイソプロピルアルコールを使用者が長い時間吸引すると頭痛やめまい等の健康被害を引き起こす恐れがあるだけでなく、犬猫等のペットに対しても悪影響を及ぼす恐れがある。
【０００５】
本考案は以上の問題点に鑑みてなされたもので、その目的とするところは少ない構成部材数で以て複数の形態で芳香きるとともに、使用者の健康への悪影響を回避できるスリーウェイ芳香セットを提供することにある。
【課題を解決するための手段】
【０００６】
上記した課題を解決するため、本考案は芳香成分を含んだ揮発性液体を触媒燃焼形態、ミスト形態、または気化形態で放出するスリーウェイ芳香セットであって、芳香成分を含んだ揮発性液体を収容可能な容器と、前記容器の挿入口に着脱可能な触媒バーナ手段と、前記容器の挿入口に着脱可能な手動式のスプレー手段と、前記容器の挿入口に内挿可能な蒸散手段とを具備する。
触媒バーナ手段の首部およびスプレー手段の胴部は、容器の挿入口に内挿可能な寸法関係にしてある。
また揮発性液体は従来のイソプロピルアルコールに替えてエタノールを使用する。
【考案の効果】
【０００７】
＜１＞触媒バーナ手段、スプレー手段、または蒸散手段がひとつの容器を共有して構成部材数を削減できるとともに、一台の芳香セットで以てこれら三つの手段を使途に応じて付け替えることで、芳香成分を含んだ揮発性液体を触媒燃焼形態、ミスト形態、または気化形態での放出が可能となる。
＜２＞触媒バーナ手段の首部およびスプレー手段の胴部が、容器の挿入口に内挿可能な寸法関係にあるから、容器に対する付替えを簡易に行うことができる。
＜３＞揮発性液体は従来のイソプロピルアルコールに替えてエタノールを使用することで、長時間に亘って芳香しても、人体やペットに対する健康被害を回避できて、使用中における安全性が高くなる。
【図面の簡単な説明】
【０００８】
【図１】本考案に係るスリーウェイ芳香セットの全体斜視図
【図２】容器に触媒バーナ手段を組付けたときの芳香セットの部分断面図
【図３】容器にスプレー手段を組付けたときの芳香セットの部分断面図
【図４】容器に蒸散手段を組付けたときの芳香セットの部分断面図
【考案を実施するための形態】
【０００９】
以下に図面を参照しながら本考案に係るスリーウェイ芳香セットの一例を示す。
【００１０】
＜１＞スリーウェイ芳香セットの概要
図１に示すように、スリーウェイ芳香セットは、芳香成分を含んだ揮発性液体を収容可能な容器１０と、容器１０の上部に形成した挿入口１１に着脱可能な触媒バーナ手段２０と、容器１０の挿入口１１に着脱可能な手動式のスプレー手段３０と、容器１０の挿入口１１に内挿可能な複数のボーラス構造のステック５１よりなる蒸散手段５０とを具備し、ひとつの容器１０に対してこれらの三つの芳香するための手段２０，３０，５０を付け替えて三つの形態（触媒燃焼形態、ミスト形態、気化形態）で使用し得るようになっている。
【００１１】
＜２＞揮発性液体
触媒燃焼および気化に適した揮発性液体は公知の芳香成分を含んでいて、キャップ付きのボトル４０に予め収容してある。芳香成分にはアロマ効果が得られる公知の各種自然香料または合成香料を含む。
従来は揮発性液体にイソプロピルアルコールを使用していたが、本例では人体に対し安全性の高いエタノールを使用する。
【００１２】
＜３＞容器
容器１０は揮発性液体を収容するための器で、耐熱性に優れたガラスや樹脂等で形成してある。また本例では容器１０が球形を呈する場合について示すが、例示した形状に限定されるものではなく、容器１０の形状や寸法の制約は特にない。
容器１０の上部には口金１２が一体に固着してあり、口金１２に挿入孔１１が形成されている。
【００１３】
＜４＞触媒バーナ手段
触媒バーナ手段２０は揮発性液体を触媒燃焼させて広範囲に芳香させるためのもので、少なくとも多孔性セラミック製のバーナ２１と、支持台２２を介してバーナ２１に一体に接続した吸液性素材（例えば綿紐）からなる芯材２３とにより構成する。本例ではさらにバーナ２１に装着可能な消火キャップ２４と、容器１０の挿入口１１に外装可能な筒状の防護筒２５をさらに含む。
【００１４】
触媒バーナ手段２０を容器１０の挿入口１１に密着して内挿し得るように、支持台２２の首部２２ａの外径が、挿入口１１の内径と等寸法になっている（図２）。
【００１５】
＜５＞スプレー手段
スプレー手段３０はノズルを具備した噴霧器３１と、噴霧器３１へ給液する吸上管３２と、中継ホースを介して噴霧器３１へ空気を圧送する手動式のポンプ３３とにより構成し、ポンプ３３を手動で圧搾操作することで、吸上管３２を通じて吸い上げた揮発性液体６０を噴霧器３１のノズルを通じミスト化して噴霧し得るようになっている。
噴霧器３１の胴部３１ａには液漏れ防止用のシール材を設けてあり、シール材を介して容器１０の挿入口１１に密着した状態で内挿可能になっている（図３）。
【００１６】
ポンプ３３は図示したゴム製の球体に限定されず、その他にレバ―やボタン等を介して押動する公知の手押しポンプを適用することも可能である。
【００１７】
＜６＞蒸散手段
蒸散手段５０はボーラス構造を呈する単数または複数のステック５１により構成し、容器１０の挿入口１１に差し込んで使用する。
ステック５１は軸方向に沿って連続した微孔を形成していて、微孔による毛細管現象を利用して揮発性液体６０を吸い上げ、ステック５１の最上部から周囲へ自然に揮発させることが可能である。
【００１８】
ステック５１の素材としては、ボーラス構造を呈するセラミック棒、草花の乾燥した茎、乾燥した樹木の枝木等を使用できるが、経済性と吸上性を考慮すると竹材が好適である。
【００１９】
［使用方法］
本考案に係るスリーウェイ芳香セットは、広範囲で長時間に亘って芳香成分を放出可能な触媒バーナ手段２０と、スポット的範囲に芳香成分を放出可能な手動式のスプレー手段３０と、１〜２ｍの範囲で長時間に亘って芳香成分を放出可能な蒸散手段５０とが、それぞれ容器１０を共有し得る関係にあるため、以下に説明するようにひとつの容器１０に対してこれらの三つの芳香するための手段２０，３０，５０を付け替えて使用することができる。
【００２０】
＜１＞触媒燃焼による芳香形態
図２に示すように、触媒バーナ手段２０による芳香を楽しみたいときは、容器１０内に芯材２３を落とし込み、首部２２ａを挿入口１１に挿入すると、芯材２３通じて揮発性液体６０が吸い上げられてバーナ２２で気化する。使用者がバーナ２２に着火すると揮発性液体が触媒燃焼して芳香が広範囲に拡散する。
【００２１】
＜２＞ミストによる芳香形態
図３に示すように、スプレー手段３０による芳香を楽しみたいときは、容器１０内に吸上管３２を収容するとともに、噴霧器３１の胴部３１ａを挿入口１１に内挿する。
噴霧器３１のノズルを噴霧方向へ向けた状態で、ポンプ３３を圧搾操作すると、吸上管３２を通じて芳香成分を含む揮発性液体６０が噴霧器３１へ吸い上げられ、噴霧器３１のノズルからミスト状態で噴霧される。
【００２２】
＜３＞揮発による自然芳香形態
図４に示すように、蒸散手段５０による芳香を楽しみたいときは、容器１０の挿入口１１内に単数または複数のステック５１を差し込んで使用する。
容器１０内の揮発性液体はステック５１の微孔を通じて吸い上げられ、ステック５１の最上部から気化した揮発性液体ととに芳香成分が周囲に拡散する。
【符号の説明】
【００２３】
１０・・・・・容器
１１・・・・・挿入口
２０・・・・・触媒バーナ手段
２１・・・・・バーナ
２２・・・・・支持台
２２ａ・・・・支持台の首部
２３・・・・・芯材
３０・・・・・スプレー手段
３１・・・・・噴霧器
３１ａ・・・・噴霧器の胴部
３２・・・・・吸上管
４０・・・・・ボトル
５０・・・・・蒸散手段
５１・・・・・ステック